【手続補正書】
【提出日】平成18年4月24日(2006.4.24)
【手続補正１】
【補正対象書類名】明細書
【補正対象項目名】特許請求の範囲
【補正方法】変更
【補正の内容】
【特許請求の範囲】
【請求項１】  Ｎ個（ここで、Ｎ＞１）の入力オーディオ信号を符号化するための方法であって、
（ａ）これらＮ個のオーディオ信号の各々を周波数領域における複数のスペクトル成分に変換するステップと、
（ｂ）これらＮ個の入力オーディオ信号に対応するスペクトル成分の内の一つ或いは複数（ただし、全てではない）の各々については、それらスペクトル成分をダウン混合することでダウン混合されたスペクトル成分を生成し、これらＮ個の入力オーディオ信号の各々に対する残りの一つ或いは複数のスペクトル成分を、混合しないままにとどめるステップと、
（ｃ）該一つ或いは複数のダウン混合されたスペクトル成分と該一つ或いは複数の混合されなかったスペクトル成分に基づいて符号化されたオーディオビット流を生成するステップと、を含むことを特徴とする方法。
【請求項２】  該ステップ（ｃ）が更に、
（１）該一つ或いは複数のダウン混合されたスペクトル成分と該ダウン混合されなかったスペクトル成分を時間領域におけるＮ個のハイブリッドオーディオ信号に変換するステップと、
（２）これらＮ個のハイブリッドオーディオ信号にオーディオ符号化アルゴリズムを適用することで該符号化されたオーディオビット流を生成するステップと、を含む請求項１記載の方法。
【請求項３】  該ステップ（ｂ）が更に
該一つ或いは複数のダウン混合されたスペクトル成分に対して一つ或いは複数の聴覚空間パラメータを生成するステップを含む請求項１記載の方法。
【請求項４】  該一つ或いは複数の聴覚空間パラメータが一つ或いは複数のチャネル間レベル差とチャネル間時間差を含む請求項３記載の方法。    
【請求項５】  Ｎ＝２とされ、
これら２つの入力オーディオ信号が、一つのステレオ入力オーディオ信号の左と右の入力オーディオ信号に対応し、
各ダウン混合されたスペクトル成分がモノのスペクトル成分を与え、
該符号化されたオーディオビット流がステレオオーディオ符号器を用いて生成される請求項１記載の方法。  
【請求項６】  該一つ或いは複数のダウン混合されるスペクトル成分がある指定された閾値周波数より高い周波数を有し、
該一つ或いは複数の混合されないスペクトル成分が該指定された閾値周波数より低い周波数を有する請求項１記載の方法。
【請求項７】  前記指定された閾値周波数が時間とともに動的に変化される請求項６記載の方法。
【請求項８】  前記指定された閾値周波数がビットレートの関数として変化される請求項７記載の方法。
【請求項９】  該一つ或いは複数のダウン混合されるスペクトル成分がある指定された閾値エネルギーより低いスペクトルエネルギーを有し、
該一つ或いは複数の混合されないスペクトル成分が該指定された閾値エネルギーより高いスペクトルエネルギーを有する請求項１記載の方法。
【請求項１０】  符号化されたオーディオビット流であって、
（ａ）Ｎ個（ここで、Ｎ＞１）のオーディオ信号の各々を周波数領域における複数のスペクトル成分に変換するステップと、
（ｂ）これらＮ個の入力オーディオ信号に対応するスペクトル成分の内の一つ或いは複数（ただし、全てではない）の各々については、それらスペクトル成分をダウン混合することでダウン混合されたスペクトル成分を生成し、これらＮ個の入力オーディオ信号の各々に対する残りの一つ或いは複数のスペクトル成分を、混合しないままにとどめるステップと、
（ｃ）該一つ或いは複数のダウン混合されたスペクトル成分と該一つ或いは複数の混合されなかったスペクトル成分に基づいて該符号化されたオーディオビット流を生成するステップと、
を用いて生成されることを特徴とする符号化オーディオビット流。
【請求項１１】  該ステップ（ｃ）が更に、
（１）該一つ或いは複数のダウン混合されたスペクトル成分と該ダウン混合されなかったスペクトル成分を時間領域におけるＮ個のハイブリッドオーディオ信号に変換するステップと、
（２）これらＮ個のハイブリッドオーディオ信号にオーディオ符号化アルゴリズムを適用することで該符号化されたオーディオビット流を生成するステップと、を含む請求項１０記載の符号化オーディオビット流。
【請求項１２】  該符号化オーディオビット流が、該一つ或いは複数のダウン混合されたスペクトル成分に対する一つ或いは複数の聴覚空間パラメータを含む請求項１０記載の符号化オーディオビット流。
【請求項１３】  Ｎ＝２とされ、
これら２つの入力オーディオ信号が、一つのステレオ入力オーディオ信号の左と右の入力オーディオ信号に対応し、
各ダウン混合されたスペクトル成分がモノのスペクトル成分を与え、
該符号化されたオーディオビット流がステレオオーディオ符号器を用いて生成される請求項１０記載の符号化オーディオビット流。  
【請求項１４】  符号化用のＮ個（ここで、Ｎ＞１）の入力オーディオ信号を処理するための装置であって、
（ａ）該Ｎ個の入力オーディオ信号の各々を周波数領域における複数のスペクトル成分に変換するように構成された一つ或いは複数の変換器と、
（ｂ）これらＮ個の入力オーディオ信号に対応するスペクトル成分の内の一つ或いは複数（ただし、全てではない）の各々については、それらスペクトル成分をダウン混合することでダウン混合されたスペクトル成分を生成し、これらＮ個の入力オーディオ信号の各々に対する残りの一つ或いは複数のスペクトル成分は、混合しないままにとどめるように構成されたダウンミキサと、を備えることを特徴とする装置。
【請求項１５】  更に、該一つ或いは複数のダウン混合されたスペクトル成分と該一つ或いは複数の混合されなかったスペクトル成分をＮ個のハイブリッドオーディオ成分に変換するように構成された逆変換式（変換器）を備える請求項１４記載の装置。
【請求項１６】  更に、該一つ或いは複数のダウン混合されたスペクトル成分と該一つ或いは複数の混合されなかったスペクトル成分に基づいて符号化されたオーディオビット流を生成するように構成されたオーディオ符号器を備える請求項１４記載の装置。
【請求項１７】  更に、該一つ或いは複数のダウン混合されたスペクトル成分に対して、一つ或いは複数の聴覚空間パラメータを生成するように構成された発生器を備える請求項１４記載の装置。
【請求項１８】  Ｎ＝２とされ、
これら２つの入力オーディオ信号が、一つのステレオ入力オーディオ信号の左と右の入力オーディオ信号に対応し、
各ダウン混合されたスペクトル成分がモノのスペクトル成分を与え、
該ステレオオーディオ発生器が該一つ或いは複数のダウン混合されたスペクトル成分と該一つ或いは複数の混合されなかったスペクトル成分に基づいて符号化されたオーディオビット流を生成する、
請求項１４記載の装置。
【請求項１９】  該一つ或いは複数のダウン混合されるスペクトル成分がある指定された閾値周波数より高い周波数を有し、
該一つ或いは複数の混合されないスペクトル成分が該指定された閾値周波数より低い周波数を有する請求項１４記載の装置。
【請求項２０】  符号化されたオーディオビット流を復号するための方法であって、
（ａ）該符号化されたオーディオビット流を復号するステップであって、
一つ或いは複数のセットのスペクトル成分はダウン混合されたスペクトル成分に対応し、
一つ或いは複数のセットのスペクトル成分は混合されないスペクトル成分に対応する、周波数領域における複数のスペクトル成分を生成するステップと、
（ｂ）該各セットのダウン混合されたスペクトル成分に対して、一つ或いは複数の聴覚空間パラメータを適用して、合成スペクトル成分を生成するステップと、
（ｃ）該合成スペクトル成分と該ダウン混合されなかったスペクトル成分を時間領域におけるＮ個（ここで、Ｎ＞１）の復号されたオーディオ信号に変換するステップと、を含む方法。
【請求項２１】  該ステップ（ａ）が、
（１）該符号化されたオーディオビット流を復号することでＮ個のハイブリッドオーディオ信号を回復するステップと、
（２）該Ｎ個のハイブリッドオーディオ信号の各々を周波数領域における複数のスペクトル成分に変換するステップと、を含む請求項２０記載の方法。
【請求項２２】  Ｎ＝２とされ、
該符号化されたオーディオビット流がステレオオーディオ復号器を用いて復号され、
これら２つのハイブリッドオーディオ信号が、一つのハイブリッドステレオオーディオ信号の左と右のハイブリッドオーディオ信号に対応し、
各ダウン混合されたスペクトル成分がモノのスペクトル成分を与える、
請求項２１記載の方法。  
【請求項２３】  該一つ或いは複数のダウン混合されるスペクトル成分がある指定された閾値周波数より高い周波数を有し、
該一つ或いは複数の混合されないスペクトル成分が該指定された閾値周波数より低い周波数を有する請求項２０記載の方法。
【請求項２４】  符号化されたオーディオビット流を復号するための装置であって、
（ａ）該符号化されたオーディオビット流を復号するよう構成されたオーディオ復号器であって、
一つ或いは複数のセットのスペクトル成分はダウン混合されたスペクトル成分に対応し、
一つ或いは複数のセットのスペクトル成分は混合されないスペクトル成分に対応する、周波数領域における複数のスペクトル成分を生成するように動作するオーディオ復号器と、
（ｂ）各セットのダウン混合されたスペクトル成分に対して、一つ或いは複数の聴覚空間パラメータを適用して、合成スペクトル成分を生成するように構成されたシンセサイザと、
（ｃ）該合成スペクトル成分と該混合されなかったスペクトル成分を時間領域域におけるＮ個（ここで、Ｎ＞１）の復号されたオーディオ信号に変換するように構成された一つ或いは複数の逆変換式（逆変換器）と、を備える装置。
【請求項２５】
該オーディオ符号器が該符号化されたオーディオビット流を復号することでＮ個のハイブリッドオーディオ信号を生成するように構成され、
更に、該Ｎ個のハイブリッドオーディオ信号の各々を周波数領における複数のスペクトル成分に変換するように構成された一つ或いは複数の変換式と、を備える請求項２４記載の装置。
【請求項２６】  Ｎ＝２とされ、
該符号化されたオーディオビット流がステレオオーディオ復号器を用いて復号され、
これら２つのハイブリッドオーディオ信号が、一つのハイブリッドステレオオーディオ信号の左と右のハイブリッドオーディオ信号に対応し、
各ダウン混合されたスペクトル成分がモノのスペクトル成分を与える、
請求項２５記載の装置。
【請求項２７】
該一つ或いは複数のダウン混合されるスペクトル成分がある指定された閾値周波数より高い周波数を有し、
該一つ或いは複数の混合されないスペクトル成分が該指定された閾値周波数より低い周波数を有する請求項２４記載の装置。